(57)【要約】      （修正有）【解決手段】ナイロンや人工皮革などの生地を使用した外側バッグ１と、ナイロンやレーヨンの生地を使用した内側バッグ２である。この夫々独立した二つのバッグ（外側バッグ１，内側バッグ２）を面ファスナーで貼り付けて構成している。外側バッグ１は底面部（底板３を含む部分）の両側にこの底面部を囲むように一対の側面部が形成されており、底面部に接続する部分以外の側面部の外周には、一対の側面部が外周に沿って結合するようにファスナー６が設けられている。【効果】バックの底部に若干の柔軟性があり重量物を支えることが出来る底板を差し込み、２本のベルトを外側バックに縫い付けてあることで商品をしっかり保持することを可能としている。【選択図】図１
0003137071.tif 000002
【実用新案登録請求の範囲】
【請求項１】
スーパーマーケットのレジにおいて、顧客が清算の為にレジまで運んできたレジ籠より店員が商品を取り出しバーコードを読み取って新たなレジ籠に移し変える際、その新たなレジ籠に顧客が自ら持参した買い物バックを、自らの手でレジ籠の内側に沿ってすばやく箱型にフィットできる買い物用バック。このすばやく内側にフィットさせることを可能にする要件として、ナイロンや人工皮革などの厚手の生地を使用した外側バックとナイロンやレーヨンの生地を使用した薄手の内側バックからなる、夫々独立したバックを面ファスナーで貼り付けた買い物用バック。この二つからなる複合バックは、レジ籠にフィットさせたときに、内側バックの長辺が面ファスナーで外側バックに引っ張られて箱型に形成され、商品の入れ込みをスムースに出来る状況を作りだす。また外側バックはレジ籠の長辺に沿って垂れ下がり、商品の入れ込みには邪魔にならない買い物用バック。
【請求項２】
本考案のバックの底部には発砲ポリエチレン製などの若干の柔軟性があり且つ２Ｌボトルなどの重量物も支えられる硬さを有する底板が差し込んであり、これを２本の縫いこんだ厚手のＰＰやポリエステル製のベルトで支えているので、重量物もしっかり支えることが出来る買い物用バック。尚この底板はバックの底部にコの字に縫いこんだ袋状の出入り口から出し入れが自在できるようになっていおり、底板は角々が丸く小さくカットされ外側バックが成型されたときに底板の角が外側バック地に当たり外側バック地を傷つけないようになっている買い物用バック。
【請求項３】
本考案のバックの底板の大きさは短辺が２Ｌボトルの底部の長辺より少し大きい１５０ｍｍから１７０ｍｍと長辺はスーパーマーケットのレジ籠の底部の長辺より両端から３０ｍｍから４０ｍｍ程度小さい大きさとする。外側バックは短辺が底板より両端が７０ｍｍから８０ｍｍ大きく、長辺は底板を底部としてバック状にした時に、２Ｌボトルを立ててバック内に収まるのに十分な長さの、９２０ｍｍから９５０ｍｍ程度の大きさになるバックで、平面に広げたときは卵形で長辺先端の左右を垂直に切った形状をしており、かつ短辺の中央部分の両脇からファスナーでバックの全周をしめることが出来るので収納商品の殆どは表出することなくバック内に納めることが出来る買い物用バック。
【請求項４】
本考案の内側バックはナイロン製などの柔軟性がありかつ箱型に成型したときにかなりの自立性も付与された厚さの布で作られたもので、本考案の外側バックとは左右３箇所程度面ファスナーで留めてあり、容易に取り外しできるもので、内側バックだけをはずして洗濯ができる買い物用バック。この内側バックは内面にＰＶＣ加工した防水性のもの、またアルミ箔とウレタンを張り合わせて熱遮断性を有するもので作成し、保冷や保温ができるものに代えることもできる買い物用バック。
【請求項５】
本考案のバックの底板を抜き取り、底板を芯にして巻き取れば、他のバックに収納することが出来る買い物用バック。
【請求項６】
本考案の通常のバックとは別に、長辺の長さがレジ籠に収めたときレジ籠の高さより３０ｍｍから５０ｍｍ程度長めで、平面に広げた際に長方形となる小さめの同タイプのバックを用意すると、このバックには本考案の通常バックを収納でき、かつこのバックは成型したときに上辺が底部より長い逆台形になり、見た目にも斬新性があり、通常バックより小さくその大きさから通勤用にも使用できる。通勤帰りには収納しておいた通常バックを利用することも出来、少な目の買い物ではこの小さめのバックを使用することができる買い物用バック。
【請求項７】
本考案の外側バックに取り付けたベルトに、長さを収縮自在にできるプラスチィックパーツを付けることによって、手提げ方式とショルダー方式にすることが出来る買い物バック。さらに外側バックの上部の両端と底部に袋状に二重にベルとを付けることによって、この袋状の中を、長さ調整が出来るプラスチィックパーツと差込、離脱が自在なプラスチィックバックルを付けた別添ベルトを通すことで、背負う方式にすることが出来る買い物用バック。
【請求項８】
本考案の外側バックの一方の生地を折り返して外側バックの上辺の外周にそって切断されたものを作り、その先に面ファスナーを付け、外側バックの内面に取り付けた面ファスナーに密着させて、その折り返し部分に折り込んだ内側バックを収納することが出来、通常のバックとしても使用できる買い物用バック。また詰め込む商品が多くすべてファスナーで閉められないときは、この折り返し部分がカバーとして使用でき、外側バック内部に、袋状のものを取り付けることによって、背負いベルトを収納することが出来き、また財布などの小物も同時に収納することが出来る買い物用バック。この折り返し部分と小物入れの袋状のものを、レジ籠に装着したときに、レジ籠の長辺の外側に垂らすことで、レジでの商品の入れ込みをよりスムースに出来る買い物用バック。
【考案の詳細な説明】
【技術分野】
【０００１】  本考案はスーパーマーケットのレジにてバーコードを読み取った後に商品を新たなレジ籠に移し変える際、顧客が持ち込んだバックを新たなレジ籠にすばやく滞りなく装着できるかどうかに関する分野。【０００２】  この持ち込む買い物用バックをレジ籠から引き上げて、買い物用バックとして使用するとき、これらが繰り返し使用でき、積み込んだ商品の保持性及び安定性と携帯の際の利便性と機能性に関する分野。
【背景技術】
【０００３】  従来、スーパーマーケットで商品を購入する際には、レジにてポリエチレン製などの樹脂系袋に詰められ、これを消費者が持ち帰り、この袋に家庭ごみが詰められてゴミとして出される。これらの袋はゴミとして回収され自治体が廃棄処分を行なっている。循環型社会の達成が叫ばれている今日、スーパーマーケットにおけるレジ袋は、資源の節約、廃棄物の減少の点から、有料化、廃止への動きが強まってきている。これに伴い消費者が自ら買い物用バックや籠を持参する機運が高まってきている。レジの精算時に一旦別のレジ籠で受けるのでなく消費者が持参した買い物用バックが装着されたレジ籠に移すことが出来れば、消費者がレジ籠から持参した買い物用バックに移し変える手間が省け、スーパーマーケット側でもこの移し変えに要するスペースを少なくできるメリットを享受することができる。
【考案の開示】
【考案が解決しようとする課題】
【０００４】  このような機運を受けて、最近はスーパーマーケットのレジ籠に装着できる買い物用バックが市販されており、また種々の考案がなされている。これらは大きく分けると、風呂敷状の薄手の生地に吊り手をつけたものや、薄手の生地で形成されたバックの上部を紐で開閉できる巾着状のもの（特開２００１−１６９８１６）と、帆布などの厚手の生地でレジ籠内に自立できるタイプ（実用新案登録番号、第３０４９７３３）に分けることが出来る。前者のものは不使用時に小さく畳むことができ携帯に利便性があるが、レジ籠に装着する際に手間取ること、レジ籠から引き上げた際に商品の保持性に劣り、また商品がお互いに圧迫されて損傷の恐れもあること、また携帯時に重量物が積み込まれた商品がある場合、偏りを発生させ商品の保持性に劣ること、商品の凹凸がバックの外面にまで伝わり体裁面も悪く、他人の手足に接触するなどの不具合がある。後者はレジ籠への装着は容易であるが、厚手の生地でできているため比較的バック自体が重たく、携帯時にも中身の大小に拘わらず一定の形態のままで、レジ籠状の籠型買い物用バックを持ち歩くことになり、中身が少ない場合は必要以上の大きさのバックとなる。また多くはレジ籠の高さに順ずる高さのため多くの商品が表出し、この突出した商品をバンドなどで締め付けるよう提案されているがそれでも表出は十分に防げず、また別の布地でカバーしなければならなくわずらわしい。仮に商品が表出しないように高さを十分にとると、レジにて店員が移しかえる際にレジ籠よりかなり高さのものになり、作業に支障をきたす恐れが出てくる。これらは大型のバックとなり買い物専用でしか使用できないこと、汚れやすい食品を積載することからバック内は汚れやすく買い物用バックは容易に洗濯、洗滌できることが望ましいがこの要請にも応えられないなどの不具合がある。
【課題を解決するための手段】
【０００５】  上記の課題を解決するため、本考案ではレジですばやくレジ籠の内部に持参した買い物用バックを箱型にフィットさせることを容易に実施できるようにしたものである。スーパーマーケットのレジでは、顧客がバーコード読み取り機までレジ籠を持参すると即座に店員が商品を取り出し、バーコード読み取り機かけ新たなレジ籠に移すのが通常の行動である。すなわち顧客は持参した買い物用バックを新たなレジ籠の内側に沿って箱状の袋を僅か数秒でフィットさせることが要請される。従来の技術では、レジ籠の上辺に被せるタイプのものは、風呂敷状のもの、巾着状のものに拘わらず数秒で実施することは不可能である。このことを解決する手段として、請求項１で外側バックと内側バックからなる、夫々独立したバックを面ファスナーで貼り付けることができ、レジ籠に装着した際に内側バックが外側バックに引っ張られて箱状に成型され外側バックの先端部はレジ籠の長辺の左右に垂れ下がり、１、２秒でレジ籠に装着できる買い物用バック。
【考案の効果】
【０００６】  バックの底部に若干の柔軟性があり重量物を支えることが出来る底板を差し込み、２本のベルトを外側バックに縫い付けてあることで商品をしっかり保持することを可能としている。【０００７】  底板の大きさ、外側バックの形状と大きさを既定しており、これらの考案によって、２Ｌペットボトルを立てて収納でき、レジ籠１個分の商品を略表出させることなく、収納できる容量を有する買い物用バックである。商品を詰め込んだ状態でこの形状を有することは、体裁も良く、商品の保持も良い買い物用バックとなる。【０００８】  内側バックは面ファスナーで外側バックに貼り付けられており。この内側バックは簡単に剥がすことができ、汚れやすい買い物用バックの汚れる部分だけを容易に洗濯することが出来る。【０００９】  底板を抜き取りこの板にバックを巻きつけることで、容量が小さくなり他のバックに収納でき携帯することが可能となる。通勤の帰りに買い物をする消費者に通勤用バックに納まる買い物用バックとして提供することができる。【００１０】  本考案の通常バックとは別に、バックに成型したときの形状が斬新性を有し、その大きさからも通勤用も兼ねることができる小さめのバックを提案している。このバックは手提げ方式とショルダー方式の両方に使えるもので、少量の買い物に使用するのに最適な買い物用バックとなる。【００１１】  本考案のバック縫い付けられたベルトと別添のベルトでもって手提げ方式、ショルダー方式、さらに背負い方式の３タイプに使い分けできる。【００１２】  外側バックの一方の先端部を折り返えし、その先端部に面ファスナーでその折り返し部分を外側バック内部に留めることで、内側バックを内部に収納でき通常バックとして使える方法を提案している。また商品が多く表出する場合はこの折り返し部分がカバーとしても使える。また袋状のものを外側バックの内側に取り付けることで、財布などの小物を収納することが出来る。
【考案を実施するための最良の形態】
【００１３】  スーパーマーケットのレジにおいて、顧客が清算の為にレジまで運んできたレジ籠より店員が商品を取り出しバーコードを読み取って新たなレジ籠に移し変える際、その新たなレジ籠に顧客が自ら持参した買い物用バックを、自らの手でレジ籠の内側に沿ってすばやく箱型にフィットできる買い物用バック。このすばやく内側にフィットさせることを可能にする要件として、図１のナイロンや人工皮革などの生地を使用した外側バック（１）とナイロンやレーヨンの生地を使用した内側バック（２）からなる、夫々独立したバックを面ファスナーで（図２Ａの７ａ，図２Ｂの８ｂ）貼り付けた買い物用バック。この二つからなる複合バックは、レジ籠にフィットさせたときに、内側バックは長辺が面ファスナーで外側バックに貼り付けられているため、外側バックに引っ張られて箱型に形成され、商品の入れ込みをスムースに出来る状況を作りだす。また外側バックは図１に示すようにレジ籠の長辺に沿って垂れ下がり、商品の入れ込みには邪魔にならない。【００１４】  バックの底部に発砲ポリエチレン製などの若干の柔軟性があり且つ２Ｌボトルなどの重量物も支えられる硬さを有する底板（図２Ａの３）が差し込んであり、これを２本の縫いこんだ厚手のＰＰやポリエステル製のベルト（図２Ａの４）で支えてあるので、重量物もしっかり支えることが出来る買い物用バック。尚この底板はコの字に縫いこんだ袋状（図２Ａの５）の一方が開いておりそこから出し入れが自在になっている。また底板は角々が丸く小さくカットされ外側バックが成型されたときに底板の角が外側バック地に当たり傷つけないようになっている。【００１５】  底板の大きさは短辺が２Ｌボトルの底部の長辺より少し大きい１５０ｍｍから１７０ｍｍとし、長辺はスーパーマーケットの買い物籠の底部の長辺より両端から３０ｍｍから４０ｍｍ程度小さい大きさとし、外側バックは短辺が底板より両端が７０ｍｍから８０ｍｍ大きく、長辺は底板を底部としてバック状にした時に、２Ｌボトルを立ててバック内に収まるのに十分な長さの、９２０ｍｍから９５０ｍｍ程度の大きさになるバックで、平面に広げたときは卵形で長辺先端の左右を垂直に切った形状をしており、かつ短辺の中央部分の両脇からファスナー（６）でバックの全周をしめることが出来るので収納商品の殆どは表出することなくバック内に納めることが出来る買い物用バック。【００１６】  内側バックは（図２Ｂの２）はナイロン製などの柔軟性がありかつ箱型に成型したときにかなりの自立性も付与された厚さの布で作られたもので、外側バック（図２Ａの１）とは左右３箇所程度面ファスナーで留めてあり、容易に取り外しできるもので、内側バックだけをはずして洗濯ができる買い物用バック。この内側バックは内面にＰＶＣ加工した防水性のもの、またアルミ箔とウレタンを張り合わせて熱遮断性を有するもので作成し、保冷や保温ができるものに代えることも可能である買い物用バック。【００１７】  底板を抜き取り、底板を芯にして図４のように巻き取れば、他のバックに収納することが出来る買い物用バック。【００１８】  本考案の通常のバックとは別に、長辺の長さがレジ籠に収めたときレジ籠の高さより３０ｍｍから５０ｍｍ程度長めで、平面に広げた際に長方形となる小さめの同タイプのバックを用意すると、このバックには図４で示した巻き取った本考案の通常バックを収納でき、かつこのバックは図７で示すように成型したときに上辺が底部より長い逆台形になり、見た目にも斬新性があり、通常バックより小さくその大きさから通勤用にも使用できる買い物用バック。通勤帰りには収納しておいた通常バックを利用することも出来、少な目の買い物ではこの図６で示した小さめのバックを使用することで機能する買い物用バック。【００１９】  この買い物用バックは、取り付けたベルトの長さを収縮自在にできるプラスチィックパーツ（図３の１０）を付けることによって、手提げ方式とショルダー方式にすることが出来る。さらに図３の（４）のベルトを外側バックの上辺部と底部の裏面で袋状（１１）に縫い付けることによって、この袋状の中を長さ調整が出来るプラスチィックパーツ（図３の１０）とプラスチィックバックル（図５の１２）を付けた図５の別添ベルト（図５の１５）を通すことで、図５に示すように背負う方式にすることが出来る買い物用バック。【００２０】  外側バックの一方の地を折り返して外側バックの上辺の外周にそって切断されたもの（図２Ａの１３）を作り、その先に面ファスナー（図２Ａの９ｂ）を付け、外側バックの内面に取り付けた面ファスナー（図２Ａの７ａ）に密着させて、その折り返しの内部に折り込んだ内側バック（図２Ｂの２）を収納することが出来、通常のバックとしても使用できる買い物用バック。また詰め込む商品が多くすべてファスナーで閉められないときは、この折り返し部分がカバーとして使用できる。外側バック内部に、袋状のもの（図２Ａの１４）を取り付けることによって、図５の背負いベルト（１５）を収納することが出来き、また財布などの小物も同時に収納することが出来る買い物用バック。
【図面の簡単な説明】
【００２１】
【図１】本考案の買い物用バックをレジ籠に装着した見取り図
【図２】外側バックを平面に展開した平面図と内側バックを立てた見取り図
【図３】買い物用バックをファスナーで閉じた見取り図と外側バックの上辺部と底部の裏にベルトを袋状に縫いこんだ見取り図
【図４】底板に外側バックを巻きつけた見取り図
【図５】別添ベルトを使って背負い方式にした見取り図
【図６】小バックを平面に展開した平面図と内側バックを立てた見取り図
【図７】小バックをファスナーで閉じた見取り図
【符号の説明】
【００２２】１    外側バック
２    内側バック
３    底板
４    バックに縫い付けられたベルト
５    底板を収納するコの字に縫い付けた袋
６    外側バックの円周部を閉じるファスナー
７ａ  外側バックに取り付けた面ファスナー
８ｂ  内側バックに取り付けた面ファスナー
９ｂ  折り返し部分の内部の内側にとりつけた面ファスナー
１０  ４のベルトの長さの調節を可能にするプラスティックパーツ
１１  ４のベルトを袋状に縫いつけた部分
１２  差込、離脱が自在なプラスティックバックル
１３  外側バックの折り返し部分
１４  外側バックに取り付けた袋状の小物入れ
１５  背負い用別添ベルト
【図１】
0003137071.tif 000003
【図２】
0003137071.tif 000004
【図３】
0003137071.tif 000005
【図４】
0003137071.tif 000006
【図５】
0003137071.tif 000007
【図６】
0003137071.tif 000008
【図７】
0003137071.tif 000009
【手続補正書】
【提出日】平成19年7月4日(2007.7.4)
【手続補正１】
【補正対象書類名】実用新案登録請求の範囲
【補正対象項目名】全文
【補正方法】変更
【補正の内容】
【実用新案登録請求の範囲】
【請求項１】
底面部の両側に、前記底面部を囲む一対の側面部が形成され、前記底面部に接続する部分以外の前記側面部の外周に設けられたファスナーによって前記一対の側面部の外周が互いに連結されて形成されるバッグであって、前記ファスナーの開口時には前記底面部を中心に前記一対の側面部が観音開きする外側バッグと、
前記外側バッグの下段部に配置される、形状に柔軟性ある収納バッグであって、その開口部周囲が一対の前記側面部の内側面に係止される内側バッグと、
からなる買い物用バッグ。
【請求項２】
前記ファスナーを開口した状態で、前記外側バッグの下段部を店内設置の買い物籠の内壁に沿って装着したとき、前記内側バッグが前記買い物籠の開口部に合わせて開口することを特徴とする請求項１に記載の買い物用バッグ。
【請求項３】
一対の前記側面部の、それぞれの上段側に位置する部位は、前記外側バッグの下段部を前記買い物籠の内壁に沿って装着したとき、前記買い物籠の開口部上辺から前記買い物籠の外壁側へ垂れ下がり、前記内側バッグの開口状態を保持することを特徴とする請求項２に記載の買い物用バッグ。
【請求項４】
前記内側バッグと前記外側バッグとの係止は面ファスナーで行われることを特徴とする請求項１から請求項３のいずれかに記載の買い物用バッグ。
【請求項５】
前記内側バッグを箱型に成型し、対向する一対の側面の外側開口部周辺に雌雄いずれか一方の面ファスナーを配置し、前記外側バッグの側面部内側面の、前記面ファスナーと対向する高さ位置に、前記面ファスナーと係合しあう他方の面ファスナーを設けたことを特徴とする請求項４に記載の買い物用バッグ。
【請求項６】
前記底面部に硬質な素材の底板を設けることを特徴とする請求項１から請求項５のいずれかに記載の買い物用バッグ。
【請求項７】
前記底板は、前記底面部に取り付け及び取り外しが自在であることを特徴とする請求項６に記載の買い物用バッグ。
【請求項８】
前記外側バッグの前記底面部を支持するベルトを設けたことを特徴とする請求項１から請求項７のいずれかに記載の買い物用バッグ。
【請求項９】
請求項８に記載の買い物用バッグにおいて、
一方の前記側面部の上端側から前記底面部を通り、他方の前記側面部の上端側に向けて一対のベルトを周設し、前記上端側において、同一側面部側の一対の前記ベルト間に、それぞれ手提げ部を形成することを特徴とする買い物用バッグ。
【手続補正２】
【補正対象書類名】明細書
【補正対象項目名】全文
【補正方法】変更
【補正の内容】
【考案の詳細な説明】
【技術分野】
【０００１】  本考案はスーパーマーケットのレジにて、商品のバーコードを読み取った後、商品を店内設置の商品籠（以下、レジ籠という）に新たに移し変える際に、その新たなレジ籠にすばやく滞りなく装着できるようにした買い物用バッグに関する。【０００２】  特に顧客によって持ち込まれ、レジ籠内に載置する買い物用バッグについて、レジ籠からそのまま引き上げて使用でき、何度も繰り返しの使用でき、また、バッグに収納された商品の保持性及び安定性と、携帯して移動する際の利便性と機能性を向上させることに関する分野である。
【背景技術】
【０００３】  従来、スーパーマーケットで商品を購入する時には、レジにて店が用意したポリエチレン製などの樹脂系袋に商品が詰められる。これを消費者が持ち帰り、その後、この袋には家庭用ごみが詰められてゴミとして処理される。これらのレジ袋は回収され自治体が廃棄処分を行なっている。循環型社会の達成が叫ばれている今日、スーパーマーケットにおけるレジ袋は、資源の節約、ごみ処理廃棄物の減少等の点から、有料化、廃止化への動きが強まってきている。これに伴い消費者は自ら買い物用バッグや籠を持参する省資源運動の機運が高まってきている。【０００４】  このような機運を受けて、最近はスーパーマーケットのレジ籠に、そのまま装着できる買い物用バッグが市販されている。レジにおける商品の購入精算時に、一旦別のレジ籠で受けるのでなく、消費者が持参した買い物用バッグが装着されたレジ籠に移すことが出来れば、消費者もいちいちレジ籠から持参した買い物用バッグに商品を移し変える手間が省け、また、スーパーマーケット側でも、この移し替えに要するスペースを少なくすることができるメリットを享受することができる。【０００５】  これら買い物用バッグは大きく分けると、風呂敷状の薄手の生地を袋状にして吊り手をつけたものや、薄手の生地で形成されたバッグの上部を紐で開閉できる巾着状のもの（特許文献１）、帆布などの厚手の生地で形成され、レジ籠内にそれ自体で自立できるタイプのもの（特許文献２）などに分けることが出来る。【０００６】
【特許文献１】  特開２００１−１６９８１６号公報
【特許文献２】  実用新案登録第３０４９７３３号
【考案の開示】
【本考案が解決しようとする課題】
【０００７】  前者のもの、すなわち、風呂敷状のものや特許文献１に挙げた巾着状のものは、不使用時には小さく畳むことができ携帯時の利便性はあるが、レジ籠に装着する際に手間取ること、レジ籠から引き上げる際の商品の保持性に難点があり、さらには商品同士がお互いに圧迫されて損傷の恐れもあること、重量のある商品を袋内に入れる場合には携帯時に偏りを生じさせて商品運搬の安定性に欠けること、及び商品の凹凸がバッグの外面に伝わり体裁も悪く、他人の手足に接触する可能性があることなどの不具合がある。
【０００８】  後者、すなわち特許文献２に挙げる自立タイプのものは、レジ籠への装着は容易であるが、厚手の生地でできているため比較的バッグ自体が重く、携帯時にも中身の大小に拘わらず一定の形態を保持したままで、レジ籠状の買い物用バッグを持ち歩くことになり、中身が少ない場合は必要以上の大きさとなること、また多くはレジ籠の高さに順じてバッグの高さが決められるため、バッグから多くの商品が表出してしまうことなどの不具合がある。さらに、このバッグから表出した商品をバンドなどで締め付けるよう提案されているが、それでも商品の表出は十分防げず、別の布地でカバーしなければならなくなるなどのわずらわしさは拭えない。
【０００９】  また、仮に商品がバッグから表出しないように高さを十分にとると、レジにて店員が商品を移し替える際にレジ籠よりもかなりの高さになって、商品の収納作業に支障をきたす恐れが出てくる。さらに、このような構成にすると大型のバッグとなり、スーパーマーケットでの買い物専用でしか使用できないこと、汚れやすい食品を積載することからバッグ内は汚れやすく、バッグは容易に洗濯、洗滌できることが望ましいが、この要請にも応えられないなどの不具合が生じる。
【００１０】  スーパーマーケットのレジでは、顧客がバーコード読み取り機のそばまで、商品を積載したレジ籠を持参すると、即座に店員が商品をレジ籠から取出し、バーコード読み取り機にかけ、新たなレジ籠に移すのが通常の行動である。すなわち、顧客は持参した買い物用バッグを新たなレジ籠の内側に沿って僅か数秒でフィットさせることが要請される。しかし、従来のバッグでは、例えばレジ籠の上辺に被せるタイプのものは、風呂敷状のものであると巾着状のものであるとに拘わらず、数秒で実施することは不可能である。
【００１１】  本考案はこのような課題に鑑みてなされたものであり、スーパーマーケットなどのレジにて、消費者が持参した買い物用バッグをレジ籠の内部にすばやく、かつレジ籠の形状に合わせて箱型に装着でき、商品を収納した後はレジ籠から容易に取出しが可能であり、さらに運搬時の利便性が向上した買い物用バッグを提供することを目的としたものである。
【課題を解決するための手段】
【００１２】  上記目的を達成するため、本考案の請求項１に記載の買い物用バッグは、底面部の両側に底面部を囲む一対の側面部が形成され、底面部に接続する部分以外の側面部の外周に設けられたファスナーによって一対の側面部の外周が互いに連結されるバッグであって、ファスナーの開口時には底面部を中心に一対の側面部が観音開きする外側バッグと、この外側バッグの下段部に配置される、形状に柔軟性ある収納バッグであって、その開口部周囲が側面部の内側面に係止される内側バッグとから構成されている。このような構成は店内設置のレジ籠に、顧客が迅速かつ容易に、持参した買い物用バッグをセットすることができ、効率的な処理を可能にする。
【００１３】  請求項２に記載の買い物用バッグでは、請求項１に記載の買い物用バッグにおいて、ファスナーを開口した状態で、外側バッグの下段部を店内設置の買い物籠の内壁に沿って装着したとき、内側バッグが買い物籠の開口部に合わせて開口するように構成している。これにより買い物バッグへの商品の収納が容易になり、消費者の利便性を向上させる。
【００１４】  請求項３に記載の買い物用バッグでは、請求項２に記載の買い物用バッグにおいて、一対の側面部の、それぞれの上段側に位置する部位は、外側バッグの下段部を店内設置の買い物籠の内壁に沿って装着したとき、買い物籠の開口部上辺から買い物籠の外壁側へ垂れ下がり、内側バッグの開口状態を保持するように構成する。この側面部の上段部が設けられていることによって、レジにおける買い物用バッグへの商品収納時の利便性がさらに向上するだけでなく、外側バッグの形状と大きさを限定することにより、レジ籠１箱分の商品を買い物用バッグから表出させることなく、完全に収納できるようにすることができる。
【００１５】  請求項４に記載の買い物用バッグでは、請求項１から請求項３のいずれかに記載の買い物用バッグにおいて、内側バッグと外側バッグとの係止を面ファスナーで行なうように構成している。この構成の利点は、内側バッグは簡単に分離することができるので、汚れやすい買い物用バッグの汚れる部分だけを容易に洗濯することができることである。
【００１６】  請求項５に記載の買い物用バッグは、請求項４に記載の買い物用バッグにおいて、内側バッグを箱型に成型し、対向する一対の側面の外側開口部周辺に雌雄いずれか一方の面ファスナーを配置し、外側バッグの側面部内側面の、前記面ファスナーと対向する高さ位置に、前記面ファスナーと係合しあう他方の面ファスナーを設けた構成を有する。この買い物用バッグをレジ籠に装着した際には、内側バッグが外側バッグに引っ張られて箱状に形成される利点がある。
【００１７】  請求項６に記載の買い物用バッグは、請求項１から請求項５のいずれかに記載の買い物用バッグにおいて、外側バッグの底面部に硬質な素材の底板を設けて構成している。この構成により、重量物を収納しても商品をしっかり保持することを可能としている。
【００１８】  さらに、請求項７に記載の買い物用バッグでは、請求項６に記載の買い物用バッグにおいて、底板の底面部への取り付け及び取り外しが自在であるように構成している。不使用時において、底板を抜き取り、この板に買い物用バッグを巻きつけることで、容量が小さくなり他のバッグに収納でき、携帯することが可能となる。通勤の帰りに買い物をする消費者に通勤用バッグに納まる買い物用バッグとして利用度が向上する。
【００１９】  請求項８に記載の買い物用バッグでは、請求項１から請求項７のいずれかに記載の買い物用バッグにおいて、外側バッグの底面部を支持するベルトを設けて構成している。この構成によれば、ベルトを外側バッグに縫い付けてあるので、重量のある商品をしっかり保持することが可能である。特に、この請求項８に記載の買い物用バッグは、請求項９に記載の買い物用バッグように、一方の側面部の上端側から底面部を通り、他方の側面部の上端側に向けて一対のベルトを周設し、その上端側において、同一側面部側の一対のベルト間に、それぞれ手提げ部を形成した構成が好ましい。商品運搬時の利便性を向上させるためである。
【考案の効果】
【００２０】  以上、本考案に係る買い物用バッグによれば、スーパーマーケットなどのレジにて、消費者が持参した買い物用バッグをレジ籠の内部にすばやく、かつレジ籠の形状に合わせて容易に装着でき、さらに収納バッグの開口部が箱型に維持されるので、買い物用バッグへの商品の収納が極めて迅速にかつスムースに行なうことができる。商品を収納した後はレジ籠から容易に買い物用バッグを取出すことが可能で、同時に商品運搬時の利便性の向上が図られている。
【００２１】  また底板の大きさ、外側バッグの形状と大きさを設定すれば、２Ｌペットボトルを立てて収納でき、レジ籠１個分の商品をおおよそ外部に表出させることなく、収納できる容量を有する買い物用バッグとすることができる。商品を詰め込んだ状態でこの形状を有することは、体裁も良く、商品の保持性も保たれる。
【考案を実施するための最良の形態】
【００２２】  以下、本考案に係る買い物用バッグの最良の実施形態を、添付図面を参照しながら説明する。図１は、スーパーマーケットのレジにおいて、顧客が清算の為にレジまで運んできた商品を、店員がレジ籠より取出し、商品価格情報等を記載したバーコードを読み取って新たなレジ籠に移し変える際、その新たなレジ籠に顧客が自ら持参した買い物用バッグを、自らの手でレジ籠の内側に沿ってすばやく箱型にフィットさせることができる本考案に係る買い物用バッグの使用状態を示す斜視図である。【００２３】  このすばやくレジ籠の内側にフィットさせることを可能にする要件として、この買い物用バッグには二つの独立した構成部分がある。ナイロンや人工皮革などの生地を使用した外側バッグ１と、ナイロンやレーヨンの生地を使用した内側バッグ２である。本考案では、この夫々独立した二つのバッグ（外側バッグ１，内側バッグ２）を面ファスナー１３ｂ、１４ｂ（図２Ａの７ａ、図２Ｂの８ｂと同じ）で貼り付けて構成されている。なお、図２（Ａ）は外側バッグを平面に展開した平面構成図であり、図２（Ｂ）は内側バッグの外観斜視図である。【００２４】  外側バッグ１は図２（Ａ）に示すように、底面部（底板３を含む部分）の両側にこの底面部を囲むように一対の側面部が形成されており、底面部に接続する部分以外の側面部の外周には、一対の側面部が外周に沿って結合するようにファスナー６が設けられている。従って、ファスナー６をしめると外側バッグ１は図３に示すような、底面部に膨らみを有する縦型の買い物用バッグとなり、ファスナー６を外側バッグ１の外周に沿ってすべて開口すると、底面部を中心に一対の側面部が左右に観音開きをした状態になる。【００２５】  外側バッグ１の底面部は、コの字を形成するように３方向が縫いこまれた袋５に構成されている。そして開いている一方から底板３を差し込んだり、抜き出したり、取出取入自在に形成されている。底板３は発砲ポリエチレン製などの若干の柔軟性があり、且つ２Ｌボトルなどの重量物も支えられる硬さを有する材質からなる。また底板３は角々が丸く小さくカットされ外側バッグ１が組み立てられたときに底板３の角が外側バッグ地に当たり傷つけないようになっている。【００２６】  底板３の大きさは、短辺が２Ｌボトルの底面部の長辺より少し大きい寸法の１５０ｍｍから１７０ｍｍとし、長辺はスーパーマーケットの買い物籠の底面部の長辺より３０ｍｍから４０ｍｍ程度小さい寸法とする。また、外側バッグ１は短辺が底板３より７０ｍｍから８０ｍｍ大きく、長辺は底板３を底面部としてバッグ状にした時に、２Ｌボトルを立ててバッグ内に収まるのに十分な長さの、９２０ｍｍから９５０ｍｍ程度の大きさにする。外側バッグ１は観音開きをして平面状に広げたときは、おおよそ卵形をしており、卵型の長軸方向の先端を長軸に垂直に切った形状をしている。いわゆる外側バッグの底面部側が幅広で上部に行くに従い軽い円弧を描きながら小さくなる形状である。【００２７】  内側バッグ２はその形状は任意で融通性があるが、通常は図２（Ｂ）に示すように箱型に形成される。材質はナイロン製などの柔軟性がある素材が用いられ、かつ箱型に成型したときには、かなりの自立性も付与された厚さの布で作られたものである。この内側バッグ２は内面にＰＶＣ加工（ポリ塩化ビニール加工）した防水性のもの、またアルミ箔とウレタンを張り合わせて熱遮断囲を有するもので作成し、保冷や保温ができるものに代えることも可能である。【００２８】  外側バッグ１の一対の側面部内側面には、内側面の中央部よりやや上端部側に、底面部の長辺にほぼ平行に、三つの面ファスナー７ａが配置されている。また、内側バッグ２の両側面の外壁であって、開口部周囲近くにも三つの面ファスナー８ｂが設けられている。面ファスナー７ａと面ファスナー８ｂは互いに雌雄の関係にあり、内側バッグ２は、外側バッグ１に設けられた面ファスナー７ａによって係止されて、外側バッグ１の下底部に装着載置される。【００２９】  この二つの部分（外側バッグ１と内側バッグ２）を有する複合バッグは、まず外側バッグをレジ籠の形状に沿ってフィットさせたときに、内部バッグは長辺（すなわち外側バッグの幅方向）が面ファスナー８ｂで外部バッグの内側面に貼り付けられているため、外部バッグに引っ張られて開口部が形成され、その全体形状も箱型に形成される。そのため、商品の収納がスムースに出来る状況を作りだすことができる。また外側バッグの上端部側は図１に示すようにレジ籠の開口部上辺から買い物籠の外壁側に垂れ下がり、商品の収納行為に邪魔にならないだけでなく、内側バッグの開口状態を維持する役割を果たすことができる。【００３０】  図３は本願考案に係る買い物用バッグの外観斜視図である。図３に示されるように、外側バッグ１の外面において、一方の側面部の上端側から底面部を通って他方の側面部の上端側に向けて一対のベルト４が張り廻らされている。ベルト４は側面部１の上端部と底面部において、しっかり縫製されて固定されている。さらに側面部の上端側において、同一側面部側の一対のベルト間に、それぞれ、同様のベルト４によって手提げ部（取手部）が形成されている。以上のように、本形態の買い物用バッグは、底面部には硬質の底板３が取り付けられ、また、これを２本のベルト４で支えているので、重量物を収納してもしっかり支えることが出来る。なお、ベルト４は厚手のＰＰ（ポリプロピレン）やポリエステル製素材で構成することができる。【００３１】  以上のように構成した買い物用バッグによれば、汚れやすい内側バッグ２だけを容易にはずして洗濯できる利点がある。内側バッグ２は外側バッグと左右３箇所程度、面ファスナーで留められているだけで、容易に取り外しができるからである。また、外側バッグ１の両側面部は底面部の両側中央から側面部の上部に向けてファスナー６で側面部の全周を隈なく絞止できるので収納商品の殆どは表出することなく買い物用バッグ内に納めることが出来る。なお、この買い物用バッグは、底板３を抜き取り、かつそれを芯にして側面部を図４に示すように巻き取れば、他のバッグ内に容易に収納することが出来る。【００３２】  図６に、上記実施形態に係る買い物用バッグと同タイプであるが、側面部の大きさ・形状が異なる新たな形態の買い物用バッグを示したこの買い物用バッグは、レジ籠に収めたとき、外側バッグの高さ（長辺の長さ）がレジ籠の高さより３０ｍｍから５０ｍｍ程度、長く��るように構成する。さらに図６に示すように、両側面部を観音開きして平面状に広げた際には、いわゆる卵形ではなく、長方形となるように構成する。【００３３】  このように構成した買い物用バッグは、図４で示したような巻き取った本考案にかかる通常の買い物用バッグを収納でき、かつこの買い物用バッグは、図７にその外観を示すように、側面部外周に配置されたファスナー６を閉めたときに、上端部が底面部より長い逆台形になり、斬新性があり、通常の買い物用バッグより小さく、その大きさから通勤用にも使用できる買い物用バッグになる。通勤帰りには、収納しておいた通常の大きさの買い物用バッグを利用することもでき、収納すべき商品が少ないときには、この図６で示した小さめのバッグを使用することもできる。【００３４】  図３は当初の実施形態に係る買い物用バッグをファスナーで閉じた際の外観図と外側バッグの上端外側部と底面部の底にベルト通しを袋状に縫いこんだ外観図である。この買い物用バッグでは、取り付けたベルト４に、その取手部（手提げ部分）の長さを収縮自在にできるようプラスチックパーツ１０を付けることによって、手提げ方式とショルダー方式に変換することが可能である。【００３５】  さらに、買い物用バッグの側面部のベルト４を外側バッグ１の上端部と底面部の裏底に袋状に縫い付けることによってベルト通し１１を形成する。図５はこのベルト通し１１と別添ベルト１５を使用して、背負い方式に応用した買い物用バッグの外観図である。この袋状のベルト通し１１の中を、長さ調整が出来るプラスチックパーツ１０とプラスチックバックル１２を付けた別添ベルト１５を通すことで、背負い方式に容易に変換することができる。【００３６】  なお、収納商品が多いときのために、外側バッグ１の一方の側面部内側にカバー部材１３を取り付けてもよい。例えば、カバー部材１３は外側バッグ１の一方の素地を折り返し、その素材を外側バッグ１の上端部の形状に沿って切断して作ることができる。収納する商品が多くて、ファスナー６を完全に閉められないときは、このカバー部材１３（折り返し部分）が商品を保護する。【００３７】  また、カバー部材１３の先端部には面ファスナー９ｂ（図２参照）を付け、外側バッグ１の側面部の内面に取り付けた面ファスナー７ａと係合させる。このような構成では、カバー部材１３の内部に、畳んだ内側バッグ２を収納することができ、内部バッグ２を使用しない単一バッグとしても使用することができる。なお、外側バッグ１の側面部内部に袋状のもの（いわゆるポケット）１４を取り付けることで、背負い方式に変更するときに使用する別添ベルト１５（図５参照）を収納することができ、また財布などの小物も同時に収納することができる。
【図面の簡単な説明】
【００３８】
【図１】本考案に係る買い物用バッグの使用状態を示す斜視図である。
【図２】（Ａ）は外側バッグを平面に展開した平面構成図であり、（Ｂ）は内側バッグの外観斜視図である。
【図３】本願考案に係る買い物用バッグの外観斜視図である。
【図４】底板に外側バッグを巻きつけた買い物用バッグの見取り図である。
【図５】別添ベルトを使って背負い方式にした買い物用バッグの全体図である。
【図６】本考案に係る他の実施形態の買い物用バッグを平面に展開した平面構成図と内側バッグの斜視図である。
【図７】他の実施形態に係る買い物用バッグの全体図である。
【符号の説明】
【００３９】１    外側バッグ
２    内側バッグ
３    底板
４    ベルト
５    袋
６    ファスナー
７ａ  面ファスナー
８ｂ  面ファスナー
９ｂ  面ファスナー
１０  プラスチックパーツ
１１  ベルト通し
１２  プラスチックバックル
１３  カバー部材
１４  ポケット
１５  別添ベルト